(57)【要約】【課題】同一のＰＣＢで二つ以上のヒューズ容量を使用する電気製品において、ヒューズ容量を簡単に表示できるヒューズ容量表示装置を提供する。また、ＰＣＢ上のＰＣＢパターンを変更することで、別途の作業工程なしに、ＰＣＢに設置されたヒューズの容量を簡単に表示できるヒューズ容量表示装置を提供する。【解決手段】ヒューズと、前記ヒューズが組み立てられるＰＣＢと、互いに異なるヒューズ容量を表示する複数のヒューズ容量表示のうち、前記ＰＣＢに組み立てられるヒューズのヒューズ容量のみを露出させ、残りのヒューズ容量を遮蔽する容量表示部とを含んでヒューズ容量表示装置を構成する。【選択図】図３
2008071742.tif 000002
【特許請求の範囲】
【請求項１】
ヒューズと、
前記ヒューズが組み立てられるＰＣＢと、
互いに異なるヒューズ容量を表示する複数のヒューズ容量表示のうち、前記ＰＣＢに組み立てられるヒューズのヒューズ容量のみを露出させ、残りのヒューズ容量を遮蔽する容量表示部と
を含むヒューズ容量表示装置。
【請求項２】
前記ＰＣＢ上に組み立てられるヒューズの容量は、互いに異なることを特徴とする請求項１に記載のヒューズ容量表示装置。
【請求項３】
前記ＰＣＢには、ヒューズ容量によってＰＣＢ上のヒューズの組み立て位置を決定するための複数個のホールが形成されることを特徴とする請求項１に記載のヒューズ容量表示装置。
【請求項４】
前記複数のホールの組み立て位置は、
互いに異なるヒューズ容量のうち第１ヒューズ容量を表示するための第１組立て位置と、
第２ヒューズ容量を表示するための第２組立て位置と
を含むことを特徴とする請求項３に記載のヒューズ容量表示装置。
【請求項５】
前記容量表示部は、前記ヒューズが前記第１組立て位置に組み立てられたとき、第１ヒューズ容量を表示し、前記ヒューズが前記第２組立て位置に組み立てられたとき、第２ヒューズ容量を表示することを特徴とする請求項４に記載のヒューズ容量表示装置。
【請求項６】
前記容量表示部は、
互いに異なるヒューズ容量が表示される容量表示板と、
互いに異なるヒューズ容量を表示する複数のヒューズ容量表示のうち、前記ＰＣＢに組み立てられるヒューズのヒューズ容量のみを露出させ、残りのヒューズ容量を遮蔽する遮蔽板と
を含むことを特徴とする請求項１に記載のヒューズ容量表示装置。
【請求項７】
前記容量表示板は、ＰＣＢに対して回転する円形板を含むことを特徴とする請求項６に記載のヒューズ容量表示装置。
【請求項８】
前記容量表示板は、ＰＣＢに対して線状に移動する移動板を含むことを特徴とする請求項６に記載のヒューズ容量表示装置。
【請求項９】
前記容量表示板は、前記ＰＣＢと前記遮蔽板との間に移動可能に設置され、前記遮蔽板は、ＰＣＢに結合され、前記ＰＣＢ上に設置されるヒューズに対応するヒューズ容量を露出させるための開口部を備えることを特徴とする請求項６に記載のヒューズ容量表示装置。
【請求項１０】
電気部品と、
ＰＣＢと、
前記ＰＣＢ上に装着され、前記電気部品に供給されるパワーを制御するヒューズユニットと、
前記ＰＣＢ上に装着されるヒューズに対応する容量を露出させ、残りの容量を遮蔽する互いに異なる複数の容量を有する容量表示部と
を含むことを特徴とする電子装置。
【請求項１１】
互いに異なる容量のうち残りの容量は、前記残りの容量の削除を表示するマークを持たないことを特徴とする請求項１０に記載の電子装置。
【請求項１２】
前記ヒューズユニットは、前記ヒューズを含む前記ＰＣＢに装着されたヒューズブロックを含み、前記ヒューズブロックは、互いに異なる容量のうち残りの容量を遮蔽することを特徴とする請求項１０に記載の電子装置。
【請求項１３】
前記ＰＣＢは、
互いに異なる容量のうち一つの容量に対応する前記ヒューズユニットによって連結される第１ＰＣＢパターンと、
互いに異なる容量のうち残りの容量に対応する前記第２ヒューズユニットによって連結される第２ＰＣＢパターンと
を含むことを特徴とする請求項１０に記載の電子装置。
【請求項１４】
前記ＰＣＢは、前記ヒューズユニットによって連結された電気パターンを含み、前記互いに異なる複数の容量は、前記電気パターン上に形成されることを特徴とする請求項１０に記載の電子装置。
【請求項１５】
前記容量表示部は、
複数の容量が表示された板と、互いに異なる容量のうち一つの容量を露出させる開口部と、
互いに異なる容量のうち残りの容量を遮蔽する部分と
を含むことを特徴とする請求項１０に記載の電子装置。
【請求項１６】
前記ＰＣＢは、前記ヒューズユニットによって電気的に連結された両側の伝導性端部を含み、前記両側の伝導性端部は、前記ヒューズユニットと第２ヒューズユニットによって連結された第１パターンホール及び第２パターンホールを含むことを特徴とする請求項１０に記載の電子装置。
【請求項１７】
前記ＰＣＢは、前記ヒューズユニットによって電気的に連結された第１及び第２伝導性端部を含み、
前記ヒューズユニットは、
第１長さだけ前記第１伝導性端部に連結された第１端部と、
第２長さだけ前記第２伝導性端部に連結された第２端部と
を含むことを特徴とする請求項１０に記載の電子装置。
【請求項１８】
前記ＰＣＢは、前記ヒューズユニットによって電気的に連結された第１及び第２伝導性端部を含み、
前記ヒューズユニットは、
第１領域だけ前記第１伝導性端部に重なる第１端部と、
第２領域だけ前記第２伝導性端部に重なる第２端部と
を含むことを特徴とする請求項１０に記載の電子装置。
【発明の詳細な説明】
【技術分野】
【０００１】
本発明は、ヒューズ容量表示装置に関するもので、より詳細には、同一の基板（Ｐｒｉｎｔｅｄ  Ｃｉｒｃｕｉｔ  Ｂｏａｒｄ；以下、ＰＣＢという。）上で二つ以上のヒューズ容量を表示するためのヒューズ容量表示装置、及びそれを備えた電子装置に関するものである。
【背景技術】
【０００２】
一般的に、エアコンは、室内を冷房または暖房するために用いられる装置で、室内機及び室外機の相互間に冷媒を循環させ、液体状態の冷媒が気化するときに周囲の熱を吸収し、気体状態の冷媒が液化するときに熱を放出する特性によって冷房または暖房作用を行う。
【０００３】
通常のエアコンは、一つの室外機と一つの室内機とを連結したものが一般的であるが、最近、住居空間の大型化及び多室マルチエアコン（例えば、一つの室外機と二つの室内機を備えたもの）の需要増加によって、多様な容量の製品が開発されて普及している。
【０００４】
上記のようなエアコンには、圧縮機、ファンモータなどの各種の電気装置が設置されるとともに、各種の電気装置に電源を供給するための回路素子が設置される。このような電気装置には、外部からの強い電気的な衝撃（Ｓｕｒｇｅ）、過電流及び過電圧などによる故障を防止するための保護装置が備わる。例えば、過電流または短絡電流などの過負荷から電気装置を保護するための回路には、ＯＣＰ（Ｏｖｅｒ  Ｃｕｒｒｅｎｔ  Ｐｒｏｔｅｃｔｉｏｎ）、ＳＣＰ（Ｓｈｏｒｔ  Ｃｉｒｃｕｉｔ  Ｐｒｏｔｅｃｔｉｏｎ）、 ヒューズなどがある。
【０００５】
特に、電気装置に多く用いられるヒューズは、ＰＣＢ上に設置されており、電気回路に過電流が流れるときに溶けて切れることで、電気の流れを遮断する部品である。このようなヒューズは、電気回路に連結されるターミナル及び絶縁部品を有するケースと、ヒューズの両側を支持するためのヒューズ連結端子とを含むヒューズブロックに固定される。
【０００６】
図１は、ヒューズ１をＰＣＢ上に設置する場合の従来のヒューズ容量表示装置を示した概略図である。図１に示すように、ヒューズ１は、ヒューズブロック３によって支持されており、ヒューズ１が固定されたヒューズブロック３は、ＰＣＢ５上に形成されたＰＣＢパターン７に組み立てられる。すなわち、ヒューズブロック３の下端から突出したリード部材３ａは、ＰＣＢパターン７に形成されたＰＣＢパターンホール７ａに組み立てられて固定される。
【０００７】
小さい陰刻文字でヒューズ容量が表示されたヒューズ容量表示部９は、ＰＣＢ５上のＰＣＢパターンホール７ａの一側に形成される。電気装置（例えば、エアコン）の容量変化とともに、ヒューズ容量も変化するので、二つ以上の多様なヒューズ容量の表示されたヒューズ容量表示部９がＰＣＢ５上に形成されることで、ＰＣＢ５は多様な電気装置に共用化される。
【０００８】
従来は、実際にＰＣＢ５上に設置されたヒューズブロック３のヒューズ１容量を表示するために、図２に示すように、ヒューズ容量表示部９に表示された多様なヒューズ容量のうち、設置されたヒューズ１のヒューズ容量表示を除いた残りのヒューズ容量表示を、ペンなどを用いて消す方法を用いた。
【０００９】
すなわち、共用化ＰＣＢ５に設置される同一のヒューズ容量表示部９には、二つ以上のヒューズ容量が表示されているので、使用しないヒューズ容量は消すべきであった。
【発明の開示】
【発明が解決しようとする課題】
【００１０】
しかしながら、上記のような従来のヒューズ容量表示方法においては、ヒューズ１が固定されたヒューズブロック３をＰＣＢパターンホール７ａに組み立てた後、使用しないヒューズ容量を消す作業を行うべきであり、作業時間が多く要される。さらに、使用するヒューズ容量を作業者が誤って消したとき、以後の工程過程が煩雑になるという問題点があった。
【００１１】
本発明は、上記のような従来の問題点を解決するためになされたもので、その目的は、同一のＰＣＢで二つ以上のヒューズ容量を使用する電気製品において、ヒューズ容量を簡単に表示できるヒューズ容量表示装置を提供することにある。
【００１２】
本発明の他の目的は、ＰＣＢ上のＰＣＢパターンを変更することで、別途の作業工程なしに、ＰＣＢに設置されたヒューズの容量を簡単に表示できるヒューズ容量表示装置を提供することにある。
【課題を解決するための手段】
【００１３】
上記の目的を達成するために、本発明のヒューズ容量表示装置は、ヒューズと、前記ヒューズが組み立てられるＰＣＢと、互いに異なるヒューズ容量を表示する複数のヒューズ容量表示のうち、前記ＰＣＢに組み立てられるヒューズのヒューズ容量のみを露出させ、残りのヒューズ容量を遮蔽する容量表示部と、を含む。
【００１４】
また、前記ＰＣＢ上に組み立てられるヒューズの容量は、互いに異なることを特徴とする。
【００１５】
また、前記ＰＣＢには、ヒューズ容量によってＰＣＢ上のヒューズの組み立て位置を決定するための複数個のホールが形成されることを特徴とする。
【００１６】
また、前記複数のホールの組み立て位置は、互いに異なるヒューズ容量のうち第１ヒューズ容量を表示するための第１組立て位置と、第２ヒューズ容量を表示するための第２組立て位置と、を含むことを特徴とする。
【００１７】
また、前記容量表示部は、前記ヒューズが前記第１組立て位置に組み立てられたとき、第１ヒューズ容量を表示し、前記ヒューズが前記第２組立て位置に組み立てられたとき、第２ヒューズ容量を表示することを特徴とする。
【００１８】
また、前記容量表示部は、互いに異なるヒューズ容量が表示される容量表示板と、互いに異なるヒューズ容量を表示する複数のヒューズ容量表示のうち、前記ＰＣＢに組み立てられるヒューズのヒューズ容量のみを露出させ、残りのヒューズ容量を遮蔽する遮蔽板と、を含むことを特徴とする。
【００１９】
また、前記容量表示板は、ＰＣＢに対して回転する円形板を含むか、または、ＰＣＢに対して線状に移動する移動板を含むことを特徴とする。
【００２０】
前記容量表示板は、前記ＰＣＢと前記遮蔽板との間に移動可能に設置され、前記遮蔽板は、ＰＣＢに結合され、前記ＰＣＢ上に設置されるヒューズに対応するヒューズ容量を露出させるための開口部を備えることを特徴とする。
【００２１】
上記の目的を達成するために、本発明の電子装置は、電気部品と、ＰＣＢと、前記ＰＣＢ上に装着され、前記電気部品に供給されるパワーを制御するヒューズユニットと、前記ＰＣＢ上に装着されるヒューズに対応する容量を露出させ、残りの容量を遮蔽する互いに異なる複数の容量を有する容量表示部と、を含むことを特徴とする。
【発明の効果】
【００２２】
本発明に係るヒューズ容量表示装置によると、ＰＣＢ上で二つ以上のヒューズ容量を使用する電気装置において、ヒューズ容量を簡単に表示できるという効果がある。
【００２３】
また、本発明は、多様な電気装置の共用化ＰＣＢ上のＰＣＢパターンを変更することで、ＰＣＢ上に実際に設置されるヒューズの容量を別途の作業工程なしに簡単に表示できるという効果がある。
【発明を実施するための最良の形態】
【００２４】
以下、本発明の一実施例を、添付の図面に基づいて詳細に説明する。
【００２５】
図３は、本発明の第１実施例において、ヒューズをＰＣＢ上に設置する場合の従来のヒューズ容量表示装置を示した概略図で、図中、従来の構成と同一部分に対しては、同一符号及び同一名称を併記し、重複される説明を省略する。
【００２６】
図３に示すように、第１及び第２ＰＣＢパターン１１は、ＰＣＢ５上に形成されており、 下側及び上側ＰＣＢパターンホール１１ａ，１１ｂは、両側の第１及び第２ＰＣＢパターン１１に形成される。下側及び上側ＰＣＢパターンホール１１ａ，１１ｂは、ＰＣＢパターン１１の長さ方向に配置され、ヒューズブロック３のリード部材３ａは、ＰＣＢパターンホール１１ａ，１１ｂに挿入される。二つのヒューズ容量（例えば２．５Ａ／２５０Ｖ、３．１５Ａ／２５０Ｖ）が小さい陰刻文字でそれぞれ表示されたヒューズ容量表示部１２は、第１及び第２ＰＣＢパターン１１の下側及び上側ＰＣＢパターンホール１１ａ，１１ｂの近くにそれぞれ形成される。
【００２７】
図４Ａ及び図４Ｂは、図３のヒューズ容量表示装置を示した平面図で、図４Ａに示すように、３．１５Ａ／２５０Ｖのヒューズ１が固定されたヒューズブロック３を、第１及び第２ＰＣＢパターン１１の下側ＰＣＢパターンホール１１ａに組み立てるとき、使用しない２．５Ａ／２５０Ｖのヒューズ容量がヒューズブロック３によって自動的に遮蔽されながら、使用する３．１５Ａ／２５０Ｖのヒューズ容量のみが見えるようになる。したがって、別途の作業工程なしにヒューズブロック３を下側ＰＣＢパターンホール１１ａに組み立てるだけで、使用する３．１５Ａ／２５０Ｖのヒューズ容量が容易に表示される。ヒューズブロック３のリード部材３ａが下側または上側ＰＣＢパターンホール１１ａまたは１１ｂに連結されたとき、下側または上側ＰＣＢパターンホール１１ａまたは１１ｂは、ヒューズブロック３によって遮蔽される。
【００２８】
また、図４Ｂに示すように、２．５Ａ／２５０Ｖのヒューズ１が固定されたヒューズブロック３を、第１及び第２ＰＣＢパターン１１の上側ＰＣＢパターンホール１１ｂに組み立てるとき、使用しない３．１５Ａ／２５０Ｖのヒューズ容量がヒューズブロック３によって自動的に遮蔽されながら、使用する２．５Ａ／２５０Ｖのヒューズ容量のみが見えるようになる。したがって、別途の作業工程なしにヒューズブロック３を上側ＰＣＢパターンホール１１ｂに組み立てるだけで、使用する２．５Ａ／２５０Ｖのヒューズ容量が容易に表示される。
【００２９】
上述したように、ＰＣＢ上に下側及び上側ＰＣＢパターンホール１１ａ，１１ｂが形成されたＰＣＢパターン１１は、下側ＰＣＢパターンホール１１ａまたは上側ＰＣＢパターンホール１１ｂの選択的な組立て位置によって多様な電気装置（例えばエアコン）に用いられ、実際にＰＣＢ５上に設置されるヒューズ１の容量が容易に表示される。
【００３０】
図５は、本発明の第２実施例において、ヒューズ１のヒューズ容量装置を示した概略図で、従来の構成と同一部分に対しては、同一符号及び同一名称を併記し、重複される説明を省略する。
【００３１】
図５に示すように、第１及び第２ＰＣＢパターン１３は、ＰＣＢ５上に形成されており、 左側及び右側ＰＣＢパターンホール１３ａ，１３ｂは、両側の第１及び第２ＰＣＢパターン１３に形成される。左側及び右側ＰＣＢパターンホール１３ａ，１３ｂは、ＰＣＢパターン１３の幅方向に配置され、ヒューズブロック３のリード部材３ａは、ＰＣＢパターンホール１３ａ，１３ｂに挿入される。二つのヒューズ容量（例えば２．５Ａ／２５０Ｖ、３．１５Ａ／２５０Ｖ）が小さい陰刻文字でそれぞれ表示されたヒューズ容量表示部１２は、ＰＣＢパターンホール１３ａ，１３ｂの左側及び右側に形成される。
【００３２】
図６Ａ及び図６Ｂは、図５のヒューズ容量表示装置を示した平面図で、図６Ａに示すように、３．１５Ａ／２５０Ｖのヒューズ１が固定されたヒューズブロック３を、第１及び第２ＰＣＢパターン１３の左側ＰＣＢパターンホール１３ａに組み立てるとき、使用しない２．５Ａ／２５０Ｖのヒューズ容量がヒューズブロック３によって自動的に遮蔽されながら、使用する３．１５Ａ／２５０Ｖのヒューズ容量のみが見えるようになる。したがって、別途の作業工程なしにヒューズブロック３を左側ＰＣＢパターンホール１３ａに組み立てるだけで、使用する３．１５Ａ／２５０Ｖのヒューズ容量が容易に表示される。
【００３３】
また、図６Ｂに示すように、２．５Ａ／２５０Ｖのヒューズ１が固定されたヒューズブロック３を、第１及び第２ＰＣＢパターン１３の右側ＰＣＢパターンホール１３ｂに組み立てるとき、使用しない３．１５Ａ／２５０Ｖのヒューズ容量がヒューズブロック３によって自動的に遮蔽されながら、使用する２．５Ａ／２５０Ｖのヒューズ容量のみが見えるようになる。したがって、別途の作業工程なしにヒューズブロック３を右側ＰＣＢパターンホール１３ｂに組み立てるだけで、使用する２．５Ａ／２５０Ｖのヒューズ容量が容易に表示される。
【００３４】
上述したように、ＰＣＢ５上に左側及び右側ＰＣＢパターンホール１３ａ，１３ｂが形成されたＰＣＢパターン１３は、左側ＰＣＢパターンホール１３ａまたは右側ＰＣＢパターンホール１３ｂの選択的な組立て位置によって多様な電気装置（例えばエアコン）に用いられ、実際にＰＣＢ５上に設置されるヒューズ１の容量が容易に表示される。
【００３５】
図７は、本発明の第３実施例によるヒューズ容量表示装置を示した概略図で、従来の構成と同一の部分に対しては、同一符号及び同一名称を併記し、重複される説明を省略する。
【００３６】
図７に示すように、ＰＣＢパターン７は、図１の従来の装置と同一の構造でＰＣＢ５上に形成される。ヒューズ容量表示部２０は、ヒューズ１の固定されたヒューズブロック３が組み立てられるＰＣＢパターンホール７ａ（図１を参照）の一側に設置される。
【００３７】
前記ヒューズ容量表示部２０は、二つ以上の異なるヒューズ容量が小さい陰刻文字で表示された円形状の移動板２２（以下、容量表示板という。）と、開口部２６が形成された円形状の固定板２４（以下、遮蔽板という。）とを含む。円形状の移動板２２は、円形状の回転板である。容量表示板２２に表示された複数の容量のうち、使用する容量のみが開口部２６を通して露出され、使用しない容量は遮蔽板２４によって遮蔽される。前記遮蔽板２４には、中央部に貫通ホール２４ａが形成され、容量表示板２２の中央部に形成された回転軸２２ａが遮蔽板２４の貫通ホール２４ａに挿入されることで、容量表示板２２が回転するようになる。また、前記遮蔽板２４の外周面には、一つ以上の結合突起部２４ｂが形成され、下方に延長された結合突起部２４ｂは、ＰＣＢ５に形成されたＰＣＢホール５ａに装着されてＰＣＢ５に結合される。
【００３８】
例えば、３．１５Ａ／２５０Ｖのヒューズ１が固定されたヒューズブロック３をＰＣＢパターンホール７ａに組み立てた後、容量表示板２２が回転することで、容量表示板２２に表示された容量のうち使用する容量（３．１５Ａ）のみが遮蔽板２４の開口部２６を通して露出される。
【００３９】
図８は、本発明の第４実施例によるヒューズ容量表示装置を示した概略図で、従来の構成と同一の部分に対しては、同一符号及び同一名称を併記し、重複される説明を省略する。
【００４０】
図８に示すように、ＰＣＢ５上に形成されたＰＣＢパターン７は、図１の従来の装置と同一構造である。ヒューズ容量表示部３０は、ヒューズ１の固定されたヒューズブロック３が組み立てられたＰＣＢパターンホール７ａ（図１を参照）の一側に設置される。
【００４１】
前記ヒューズ容量表示部３０は、二つ以上の異なるヒューズ容量が小さい陰刻文字で表示された矩形状の移動板３２（以下、容量表示板という。）と、開口部３６が形成された矩形状の固定板３４（以下、遮蔽板という。）とを含む。容量表示板３２に表示された複数の容量のうち、使用する容量のみが開口部３６を通して露出され、使用しない容量は遮蔽板３４によって遮蔽される。前記遮蔽板３４には、案内スロット３４ａが形成され、容量表示板３２には、案内スロット３４ａを通して挿入される取っ手３２ａが形成される。取っ手３２ａは、案内スロット３４ａに沿って線状に移動する。また、前記遮蔽板３４の外周面には、結合突起部３４ｂが形成され、下方に延長された結合突起部３４ｂは、ＰＣＢ５に形成されたＰＣＢホール５ｂに装着されてＰＣＢ５に結合される。
【００４２】
例えば、３．１５Ａ／２５０Ｖのヒューズ１が固定されたヒューズブロック３をＰＣＢパターンホール７ａに組み立てたとき、容量表示板３２の取っ手３２ａが遮蔽板３４の案内スロット３４ａに沿って線状に移動することで、容量表示板３２に表示された容量のうち使用する容量（３．１５Ａ）のみが遮蔽板３４の開口部３６を通して露出される。
【００４３】
図９は、本発明の一実施例によるヒューズ容量表示装置９１を備えた電子装置９０を示した図である。図３〜図９に示すように、電子装置９０は、電気部品９３と、図３〜図８の装置と同じく、電子装置９０に設置されたヒューズのヒューズ容量表示装置９１とを含む。ここで、電子装置９０は、エアコン及び事務機器などの家電製品である。
【図面の簡単な説明】
【００４４】
【図１】ヒューズをＰＣＢ上に設置する場合の従来のヒューズ容量表示装置を示した概略図である。
【図２】図１の従来の装置を示した平面図である。
【図３】本発明の第１実施例において、ヒューズをＰＣＢ上に設置する場合のヒューズ容量表示装置を示した概略図である。
【図４Ａ】図３のヒューズ容量表示装置を示した平面図である。
【図４Ｂ】図３のヒューズ容量表示装置を示した平面図である。
【図５】本発明の第２実施例において、ヒューズをＰＣＢ上に設置する場合のヒューズ容量表示装置を示した概略図である。
【図６Ａ】図５のヒューズ容量表示装置を示した平面図である。
【図６Ｂ】図５のヒューズ容量表示装置を示した平面図である。
【図７】本発明の第３実施例において、ＰＣＢ上に設置されるヒューズのヒューズ容量表示装置を示した概略図である。
【図８】本発明の第４実施例において、ＰＣＢ上に設置されるヒューズのヒューズ容量表示装置を示した概略図である。
【図９】本発明の実施例によるヒューズ容量表示装置を有する電子装置を示した図である。
【符号の説明】
【００４５】
１  ヒューズ
３  ヒューズブロック
３ａ  リード部材
５  ＰＣＢ
１１  ＰＣＢパターン
１１ａ，１１ｂ  ＰＣＢパターンホール
１２  ヒューズ容量表示部
【図１】
2008071742.tif 000003
【図２】
2008071742.tif 000004
【図３】
2008071742.tif 000005
【図４Ａ】
2008071742.tif 000006
【図４Ｂ】
2008071742.tif 000007
【図５】
2008071742.tif 000008
【図６Ａ】
2008071742.tif 000009
【図６Ｂ】
2008071742.tif 000010
【図７】
2008071742.tif 000011
【図８】
2008071742.tif 000012
【図９】
2008071742.tif 000013